(57)【要約】【課題】故人の生前の態様を充分に表すことができる葬儀用の画像表示装置を提供することである。【解決手段】故人の生前の態様を表す画像を表示する葬儀用の画像表示装置１０にて、前記画像を表示する表示部２０と、表示部２０の縁２１を被う額縁部３０と、表示部２０を支える支持台４０を備えること。そして、表示部２０はメモリカード用入力部を備え、このメモリカード入力部がメモリカードから入力された信号に基づいて、表示部２０が画像を表示すること。【選択図】　　　　図１
2004008556.tif 000002
【特許請求の範囲】
【請求項１】
故人の生前の態様を表す画像を表示する葬儀用の画像表示装置であって、
前記画像を表示する表示部と、この表示部の縁を被う額縁部と、前記表示部または額縁部を支える支持台を備えることを特徴とする葬儀用の画像表示装置。
【請求項２】
請求項１に記載された葬儀用の画像表示装置であって、
前記表示部はメモリカード用入力部を備え、前記表示部はこのメモリカード用入力部に接続されるメモリカードから入力された信号に基づいて前記画像を表示することを特徴とする葬儀用の画像表示装置。
【発明の詳細な説明】
【０００１】
【発明の属する技術分野】
本発明は、葬儀用の画像表示装置に関し、特に葬儀場において故人の生前の態様等を表示するのに適した葬儀用の画像表示装置に関するものである。
【０００２】
【従来の技術】
故人の葬儀を行う葬儀会場においては、故人の写真（遺影）等が祭壇に飾られている。葬儀の参会者は、この写真を見て故人を偲び、故人の思い出を話しあったりしている。
【０００３】
【発明が解決しようとする課題】
しかし、従来の写真は、変化に乏しく、かつ、静止した画像であるので、故人の生前の態様を充分に表すことができなかった。
そこで、本発明が解決しようとする課題は、故人の生前の態様を充分に表すことができる葬儀用の画像表示装置を提供することである。
【０００４】
【課題を解決するための手段】
上記課題を解決するため、請求項１に記載された発明は、故人の生前の態様（例えば故人の生前の写真、姿、風貌）を表す画像（静止画および動画を含む。）を表示する葬儀用の画像表示装置であって、前記画像を表示する表示部と、この表示部の縁を被う額縁部と、前記表示部または額縁部を支える支持台を備えることを特徴とする葬儀用の画像表示装置である。これにより、表示部（液晶表示部、プラズマディスプレイ等を含む。）が故人の生前の態様を表示し、額縁部が表示部の周囲の飾り部材となり、表示部を葬儀会場の雰囲気に合わせたものにすることができる。そして、支持台が前記表示部または額縁部を支えているので、画像表示装置を祭壇等に置くことができる。
【０００５】
さらに、請求項２に記載された発明は、請求項１に記載された発明において、前記表示部はメモリカード（ＰＣカードを含む。）用入力部を備え、この表示部はモリカード用入力部に接続されるメモリカードから入力された信号に基づいて、前記表示部が前記画像を表示することである。これにより、メモリカードに故人の生前の態様を記憶させて、このメモリカードを表示部のメモリカード用入力部に接続することにより、前記故人の生前の態様を表示部に表示することができる。
【０００６】
【発明の実施の形態】
以下、本発明における実施の形態を図面に基づいて説明する。図１は、本発明の実施の形態に係る葬儀用の画像表示装置を示す。図１において、葬儀用の画像表示装置１０は、表示部２０、額縁部３０及び支持台４０を備えている。
【０００７】
表示部２０は、例えば、テレビ受像機、パソコン等であり、その表示方式は液晶、プラズマディスプレイ等である。
表示部２０の四周縁２２を被うように額縁部３０が配置されている。このため、表示部２０の表示面２１は額縁部３０の開口部３３から露出している。額縁部３０の上面３４には、メモリカード挿入口３５が形成されている。このメモリカード挿入口３５は、表示部２０の図示しないメモリカード用入力部（メモリカード読み取り手段）に連通している。表示部２０にはメモリカード読み取り用のプログラムがインストールされている。メモリカードは、故人の生前の態様等を記録している記録媒体である。表示部２０は、そのメモリカード用入力部がメモリカードから読み取った信号に基づいて静止した画像や動く画像を表示する。
【０００８】
図２は、図１の画像表示装置１０の正面を示す。図２において、表示部２０は縦長の長方形になっている。このようにすると、故人の生前の容貌、姿等を表示し易いからである。
【０００９】
図１にて、額縁部３０の表面側には、装飾３１、３２が施されている。額縁部３０の上面３４から両側面３６、３７にかけて斜め状態で黒色のリボン３８が掛けられている。なお、リボン３８は、ピン３９ａ、３９ｂ、３９ｃ（図３参照）により額縁部３０の上面３４および両側面３６、３７（図３参照）に取付けられている。装飾３１、３２およびリボン３８は、画像表示装置１０に葬儀用の雰囲気を持たせている。
【００１０】
支持台４０は平板状の台部４１およびこの台部４１に立設された平板状の支持部４２を備えている。支持台４０は、葬儀会場の祭壇、受付の近傍の台等に載置可能である。このため、画像表示装置１０を葬儀会場の祭壇、受付の近傍等に設置可能である。
【００１１】
図３は、図１の画像表示装置１０を後ろから見た斜視図である。図３において、表示部２０は、その裏面２３が支持台４０の支持部４２に複数のねじ４３により取付けられている。
【００１２】
また、支持部４２に、溶接等によりフレーム４４が取付けられている。このフレーム４４には、表示部２０の直流電源としてのＡＣアダプタ５０が着脱自在に嵌合されている。ＡＣアダプタ５０の直流出力側はＤＣコード５１により表示部２０の電源回路に接続され、ＡＣアダプタ５０の交流入力側はＡＣコード５２によりプラグ５３に接続されている。
【００１３】
以上により、画像表示装置１０は、メモリカードに記録された故人の態様を表示することができ、この画像表示装置１０を葬儀会場の祭壇、受付の近傍等に設置することができる。
【００１４】
なお、上記実施の形態において、表示部２０の表示面２１は、縦長の長方形になっているが、これに限定されず、例えば横長の長方形でもよい。
また、表示部２０の画像入力は、メモリカードにより行われているが、これに限定されず、例えばインターネットを利用した通信回線等により表示部２０に画像入力をしてもよい。
また、表示部２０は、赤外線、電波等によるリモートコントロール方式であってもよい。このようにすると、画像表示装置１０の利便性が向上する。
また、支持台４０は、表示部２０を支えているが、これに限定されず、額縁部３０を支えてもよい。さらに、支持台４０は、額縁部３０の下端に一体に形成されたものでもよい。
また、画像表示装置１０を故人の遺影の代わりに使用することもできる。
【００１５】
【発明の効果】
請求項１に記載された発明に係る画像表示装置は、故人の生前の態様を充分に表すことができる。このため、葬儀の参会者が前記画像表示装置に表示された故人の生前の態様を見て、故人を偲ぶことができる。
さらに、請求項２に記載された発明によれば、上記請求項２の効果とともに、メモリカードにより容易に故人の態様を画像表示装置に入力することができる。
【図面の簡単な説明】
【図１】本発明の実施の形態に係る葬儀用の画像表示装置を前方から見た斜視図である。
【図２】図１の葬儀用の画像表示装置を示す正面図である。
【図３】図１の葬儀用の画像表示装置を後方から見た斜視図である。
【符号の説明】
１０　画像表示装置
２０　表示部
３０　額縁部
３５　メモリカード挿入口
４０　支持台
【図１】
2004008556.tif 000003
【図２】
2004008556.tif 000004
【図３】
2004008556.tif 000005